(57)【要約】【課題】広告宣伝媒体やサービス品として利用することができると共に、勝手よく使用することのできる団扇を提供する。【解決手段】本体１にペン類などの棒状体８を挿通して保持する切込み５を備え、本体１に挿通保持した棒状体８を握り柄として使用する。【選択図】図７
2014004135.tif 000002
【特許請求の範囲】
【請求項１】
シート状の本体に、棒状体を挿通して保持する切込みが形成されている、
ことを特徴とする団扇。
【請求項２】
前記本体に、前記切込みに挿通された前記棒状体の先端側部分を貼付け保持する貼付け固定部が設けられる
請求項１に記載の団扇。
【請求項３】
前記切込みを前記本体の端部に形成すると共に、この切込みより本体中心側に前記貼付け固定部を配置する、
請求項２に記載の団扇。
【請求項４】
前記貼付け固定部は、前記棒状体の先端側部分を貼付け保持する粘着面に、セパレータが剥離可能に貼着されている、
請求項２または３に記載の団扇。
【請求項５】
前記本体は、２枚のシートを、粘着面を介して貼り合せて構成され、一方のシートの一部を、カット線に沿って剥離可能な前記セパレータとし、前記セパレータを剥離して前記粘着面を露出させる、
請求項４に記載の団扇。
【請求項６】
前記切込みが、遊端部が本体中心に向かう舌片状に形成される、
請求項１ないし５のいずれかに記載の団扇。
【発明の詳細な説明】
【技術分野】
【０００１】
本発明は、団扇に関し、更に詳しくは、広告宣伝媒体やサービス品として好適な団扇に関する。
【背景技術】
【０００２】
従来の団扇には、握り柄の無い、本体（扇葉）の下部に透孔を形成し、この透孔に指を挿入して本体を把持して使用するものが知られている（例えば、特許文献１）
【先行技術文献】
【特許文献】
【０００３】
【特許文献１】実用新案登録第３００２７３０号公報
【発明の概要】
【発明が解決しようとする課題】
【０００４】
上記柄無しの団扇は、一般的な骨付きの団扇に比べて安価に製作することができ、広告宣伝媒体やサービス品としての利用も容易であるが、握り柄を備えた団扇に比べて持ちにくく、使い勝手の悪いものであった。
【０００５】
本発明は、このような実情に着目してなされたものであって、広告宣伝媒体やサービス品として好適に利用できると共に、使い勝手も良い団扇を提供することを目的とする。
【課題を解決するための手段】
【０００６】
上記目的を達成するために、本発明では、次のように構成している。
【０００７】
（１）本発明の団扇は、シート状の本体に、棒状体を挿通して保持する切込みが形成されている。
【０００８】
本発明によると、シート状の本体に各種の広告宣伝等を印刷して、各種店舗などでの頒布、商品やその包装箱への添付、街頭での頒布、等の適宜形態でユーザーに提供され、提供を受けたユーザーは、ペン類、鉛筆、あるいは、箸、などの手元にある棒状体を本体の切込みに挿通して保持することで、棒状体を握り柄とした団扇として使用することができる。
【０００９】
この場合、ユーザーに提供される状態では握り柄が無く、保管および取り扱いが容易なものとなる。
【００１０】
（２）本発明の好ましい実施態様では、前記本体に、前記切込みに挿通された前記棒状体の先端側部分を貼付け保持する貼付け固定部が設けられる。
【００１１】
この実施態様によると、棒状体は切込みへの挿通と貼付け固定部での貼付けとによって、その長手方向２箇所で保持され、握り柄としての所定姿勢に保持することができる。
【００１２】
（３）本発明の他の実施態様では、前記切込みを前記本体の端部に形成すると共に、この切込みより本体中心側に前記貼付け固定部を配置する。
【００１３】
この実施態様によると、本体の外端近くにある切込みへの棒状体の挿入操作を、貼付け固定部に接触させることなく容易に行って、その後、棒状体の先端側部分を貼付け固定部に貼り付けることができる。また、このようにして本体の端部に棒状体を握り柄として連結して構成した団扇は、握り柄に対して本体がしなやかに撓むことができる状態にあり、握り柄を持った手首の返し、および、本体の撓みと復元によって円滑に風を起こすことができる
（４）本発明の他の実施態様では、前記貼付け固定部は、前記棒状体の先端側部分を貼付け保持する粘着面に、セパレータが剥離可能に貼着されている。
【００１４】
この実施態様によると、通常、粘着面はセパレータによって覆われており、本体を重ねても互いにくっつくことはなく、嵩低く積層保管しておくことができる。また、棒状体を本体の切込みに挿通して保持する際には、セパレータを剥離して、棒状体の先端側部分を粘着面に貼付け固定することができる。
【００１５】
（５）上記（４）の実施態様では、前記本体は、２枚のシートを、粘着面を介して貼り合せて構成され、一方のシートの一部を、カット線に沿って剥離可能な前記セパレータとし、前記セパレータを剥離して前記粘着面を露出させるようにしてもよい。
【００１６】
この実施態様によると、２枚のシートを貼り合せて本体を形成した後、２枚のシートに亘るフルカットによって切込みを形成すると共に、一方のシートだけに及ぶハーフカットによってカット線を形成することができ、本体に所望の切込みと貼付け固定部とを簡単に形成することができる。
【００１７】
（６）本発明の他の実施態様では、前記切込みが、遊端部が本体中心に向かう舌片状に形成される。
【００１８】
この実施態様によると、切込みによって形成される舌片に棒状体の先端部を押し付けることで、舌片を押し曲げて簡単に切込みを開くことができ、そのまま棒状体を、その先端側に滑らすことで円滑に切込みに挿通することができ、棒状体の挿通操作を容易に行うことができる。
【発明の効果】
【００１９】
このように、本発明によれば、シート状の本体に各種の広告宣伝等を印刷して、ユーザーに提供することによって、広告宣伝媒体やサービス品として好適に利用できると共に、使い勝手も良い団扇を提供することができる。
【図面の簡単な説明】
【００２０】
【図１】図１は第１実施形態の団扇本体の正面図である。
【図２】図２は第１実施形態の団扇本体の背面図である。
【図３】図３は第１実施形態の団扇本体を表側から見た斜視図である。
【図４】図４は第１実施形態の団扇本体を裏側から見た斜視図である。
【図５】図５は第１実施形態の団扇本体の分解斜視図である。
【図６】図６は第１実施形態の団扇本体に棒状体を挿入した状態の斜視図である。
【図７】図７は組上げた第１実施形態の団扇の背面図（ａ）と側面図（ｂ）である。
【図８】図８は第２実施形態の団扇本体を裏側から見た斜視図である。
【図９】図９は第３実施形態の団扇本体の正面図である。
【図１０】図１０は組上げた第３実施形態の団扇の正面図である。
【発明を実施するための形態】
【００２１】
以下、本発明の実施形態を図面に基づいて説明する。
【００２２】
〔第１実施形態〕
図１は本発明に係る団扇の第１実施形態の正面図、図２はその背面図、図３はその表側から見た斜視図、図４はその裏側から見た斜視図、図５はその分解斜視図である。
【００２３】
この団扇の本体１は、紙材からなる表裏２枚のシート２，３を全面的に貼り合せて構成されたものであり、横幅が数ｃｍ〜１０数ｃｍの略楕円形に形成された主部１ａの下端側に、方形部１ｂを連設した形状に形成されている。
【００２４】
表側のシート２の表面には、各種の広告などが印刷されると共に、その背面全体は、図５に示すように粘着面４となっており、この粘着面４に裏面側のシート３が全面的に貼り合わされている。
【００２５】
裏面側のシート３の表面には、広告などと共に、この団扇の組み上げ方を示す略図ｆが付されている。
【００２６】
なお、各図においては、便宜上、表裏のシート２，３に、アルファベットＡＢＣ、ＸＹＺを印刷した例を示しているが、装飾や広告宣伝の目的に応じて、種々の図柄やデザイン、宣伝文等を選択できるのは勿論である。
【００２７】
裏面側のシート３の背面は、樹脂コーティングなどがなされた剥離面となっており、表面側のシート２に対して剥離可能な適度の接着力で貼付けられている。
【００２８】
本体１の一端に連設した方形部１ｂには、主部１ａ側に向けて頂部が向かう逆Ｕ字形の切込み５が表裏に貫通して形成されると共に、裏面側のシート３のみに、上下に細長い逆Ｕ字形のカット線６が形成されている。このカット線６は、方形部１ｂの切込み５に繋がって形成され、切込み５とカット線６とで囲まれた上下に細長い裏面側シート部分３ａが、表面側のシート２に対して剥離可能となっている。つまり、上記裏面側シート部分３ａが、その剥離によって表面側シート２の背面に備えられた粘着面４を露出させるセパレータｓとして機能し、このカット線形成箇所が、握り柄として利用する棒状体を貼付け保持する貼付け固定部７に構成されている。
【００２９】
この実施形態の団扇は、以上のように構成されており、各種店舗や野球場等の競技場などでの頒布、街頭での頒布、あるいは、商品やその包装箱への添付、等によってユーザーに提供されて、広告宣伝用の媒体として利用される。
【００３０】
ユーザーが団扇として使用する際には、先ず、裏面側における貼付け固定部７のセパレータｓ（裏面側シート部分３ａ）を剥離し、切込み５に連なる粘着面４を露出させる。
【００３１】
次に、図６に示すように、手元にある各種のペン類、鉛筆、箸、などの棒状体８を、本体１の表面側から切込み５に挿入する。この場合、図６に示すように、切込み５によって形成される舌片５ａに棒状体８の先端部を押し付けることで、舌片５ａを裏側に押し曲げて簡単に切込み５を開くことができ、そのまま棒状体８をその先端側に滑らすことで円滑に切込みに挿通することができる。
【００３２】
次に、挿入した棒状体８の先端側を、裏面側の貼付け固定部７において露出された粘着面４に貼付ける。これによって、棒状体７は主部１の下部において一定姿勢に固定保持されることになり、図７に示すように、棒状体７の露出部分を握り柄とした団扇を組上げることができる。
【００３３】
なお、棒状体８がペンや鉛筆などの筆記具である場合、粘着面４から簡単に引き剥がして筆記に使用できることはもちろんである。また、筆記具を逆さまに挿入保持すれば（図１０参照）、筆記しながらも団扇として使うこともできる。
【００３４】
〔第２実施形態〕
図８に示すように、本体１の裏面にセパレータ付きの両面粘着テープ片９を貼付けて棒状体８の貼付け固定部を構成し、そのセパレータｓを剥離することで粘着面４を露出させる形態で実施することもできる。この場合、本体１は必ずしも２枚合わせにする必要はなく、適度の強度を有する１枚のシートで構成することができる。
【００３５】
〔第３実施形態〕
上記第１実施形態および第２実施形態では、棒状体８の切込み５への挿通と貼付け固定部７への貼付けによって棒状体８を所定の握り柄姿勢に保持しているが、簡易には、切込み５への挿通だけで棒状体８を所定の握り柄姿勢に保持することもできる。例えば、図９に示すように、本体１を適度の剛性を備えた少し厚手のシートで構成すると共に、本体１の一端部寄りに略Ｔ字形の２本の切込み５を設け、図１０に示すように、これら両切込み５に亘って棒状体８を挿通することで、棒状体８を所定姿勢に保持すると共に、２本の切込み５との接触抵抗で本体１が棒状体から簡単に抜け出さないように保持することもできる。この場合、切込み５における左右一対の三角形の舌片５ａが棒状体８に比較的強く押圧されて、棒状体８の抜け出しを阻止する抵抗が大きいものとなる。また、左右の舌片５ａによって棒状体８を浅い逆Ｖ字形に形成した横向き切込み線に押し付けることで、棒状体８の位置決めをも行うことになり、貼付け固定しなくても上下２箇所の挿通で棒状体８を一定の向きに保持することができる。
【００３６】
〔他の実施形態〕
本発明は、以下のような形態で実施することもできる。
【００３７】
（１）本体１の大きさや形状は、円形、楕円形、長円形、四角形、三角形、広告対象商品の形、などに応じて任意に設定することができる。また、本体１の素材も、紙材、樹脂シート、透明シート、和紙、などを適宜選択することができ、その厚みも任意である。
【００３８】
（２）棒状体８を挿通保持した箇所では、本体１はほとんど撓まない状態となるので、本体１の面積が大きくない場合は、主部１ａの多くが自由に撓んで起風しやすくするために棒状体挿通保持用の方形部１ｂを連設することが望ましいが、本体１の面積が大きい場合には、方形部１ｂは必ずしも備える必要はない。
【００３９】
（３）本体１に、香料入りの微細カプセルが混入されたインクで広告意匠を印刷しておくと、本体１の表面をこすることで芳香を含んだ風を送ることができる。また、本体１の素材が紙材である場合、素材に香料を含浸させておいても香りのよい風を起こすことができる。
【００４０】
（４）飲食店等においては、本発明の団扇の本体１を、持ち帰りできる広告付きのコ−スターの仕様にして提供することもできる。
【符号の説明】
【００４１】
１                本体
２                表面側のシート
３                裏面側のシート
４                粘着面
５                切込み
６                カット線
７                貼付け固定部
８                棒状体
ｓ                セパレータ
【図１】
2014004135.tif 000003
【図２】
2014004135.tif 000004
【図３】
2014004135.tif 000005
【図４】
2014004135.tif 000006
【図５】
2014004135.tif 000007
【図６】
2014004135.tif 000008
【図７】
2014004135.tif 000009
【図８】
2014004135.tif 000010
【図９】
2014004135.tif 000011
【図１０】
2014004135.tif 000012